(57)【要約】      （修正有）【課題】ＧＰＳ内蔵型撮像装置において、撮影者の手や内部の電気ノイズによるＧＰＳ受信感度の低下を低減する。【解決手段】撮像部を備えた本体部と、本体保持用のハンドル部１３０と、前記ハンドル部に本体保持用の把持部を備え、撮像装置の上方にハンドル部を設け、ハンドル部の把持部を除いた撮影者の手が触れにくい延出部にＧＰＳ受信部を配置することにより、人体による感度低下を防ぐ。【選択図】図３
2012089981.tif 000002
【特許請求の範囲】
【請求項１】
撮像部を備えた本体部と、本体保持用のハンドル部と、前記ハンドル部に本体保持用の
把持部を備え、測位の為のＧＰＳ部をもち、ハンドル部の長手方向と本体長手方向がほぼ
平行となるように本体上部へ配置され、前記ＧＰＳ部が、前記把持部を除いたハンドル部
に配置されたことを特徴とする撮像装置
【請求項２】
前記ハンドル部には表示部と、表示部とハンドル部を支持するヒンジ部と、前記表示部
を保護する為の延出部を備え、前記延出部に前記ＧＰＳ部を配置することを特徴とする請
求項１に記載の撮像装置
【請求項３】
前記表示部は収納状態と使用状態に切り替え可能で、前記ハンドル部の延出部は、表示
部が収納状態において表示部を保護することを特徴とする請求項２に記載の撮像装置
【発明の詳細な説明】
【技術分野】
【０００１】
本発明はＧＰＳを内蔵した撮像装置に関するものである。
【背景技術】
【０００２】
近年、撮像装置にＧＰＳ（Ｇｌｏｂａｌ  Ｐｏｓｉｔｉｏｎｉｎｇ  Ｓｙｓｔｅｍ  ）
受信部を接続して、受信した測位情報をその撮像装置に送り、その情報から撮影者及び被
写体の位置情報を記録媒体に記録して、利用できる技術がある。
【０００３】
上記撮像装置において、ＧＰＳ受信部は、受信性能を確保する為に、天空に向ける必要
がある．また、電波を遮蔽しやすいものに、受信部を遮られると、著しく受信性能が低下
する。そのため、撮像装置の通常使用時に、周りに遮蔽物がない状態で上側に受信部が向
いていることが望ましい。
【０００４】
ＧＰＳを撮像装置の上部に配置する提案としては、撮像装置のショルダーベルトの肩当
にＧＰＳ受信部を配置したものがある（特許文献１）。
【先行技術文献】
【特許文献】
【０００５】
【特許文献１】特開２００１−２２８５２７
【発明の概要】
【発明が解決しようとする課題】
【０００６】
上記従来例では通常使用時に、ＧＰＳ受信部が天空を向き、人体の影響も受けることは
少ない．しかし、この方法では、ショルダーベルトを外すと使えない．フレキシブルなシ
ョルダーベルトの肩当まで、電気的接続をとるのが非常に困難である．といった問題があ
った。
【０００７】
また、撮像装置を使用者が把持した状態では、ＧＰＳ受信部の周辺を人の手等が近接す
ると、人体からのノイズの影響によって、受信精度が低下する．そのため、撮像装置にお
いて、受信部を人の手に覆われたような状態では、人体からのノイズで、受信精度が低下
し、最も良くない位置情報を取得できないという問題点があった。
【課題を解決するための手段】
【０００８】
上記課題を解決するため、本出願に関わる第１の発明は、撮像部を備えた本体部と、本
体保持用のハンドル部と、前記ハンドル部に本体保持用の把持部を備え、測位の為のＧＰ
Ｓ部をもち、ハンドル部の長手方向と本体長手方向がほぼ平行となるように本体上部へ配
置され、前記ＧＰＳ部が、前記把持部以外のハンドル部に配置されたことを特徴としてい
る。
【０００９】
本出願に関わる第２の発明は、前記ハンドル部には表示部と、表示部とハンドル部を支
持するヒンジ部と、前記表示部を保護する為の延出部を備え、前記延出部に前記ＧＰＳ部
を配置することを特徴としている。
【００１０】
本出願に関わる第３の発明は、前記表示部は収納状態と使用状態に切り替え可能で、前
記ハンドル部の延出部は、表示部が収納状態において表示部を保護することを特徴として
いる。
【発明の効果】
【００１１】
以上説明したように、本発明によれば、撮像部を備えた本体部と、本体保持用のハンド
ル部と、前記ハンドル部に本体保持用の把持部を備え、測位の為のＧＰＳ部をもち、ハン
ドル部の長手方向と本体長手方向がほぼ平行となるように本体上部へ配置され、前記ＧＰ
Ｓ部が、前記把持部以外のハンドル部に配置することにより、撮像装置を使用する際に、
人の手に触れない位置に移動することにより、ＧＰＳのの受信感度を保つことが出来る。
【００１２】
また、本出願による第２の発明によれば、前記ハンドル部には表示部と、表示部とハン
ドル部を支持するヒンジ部と、前記表示部を保護する為の延出部を備え、前記延出部に前
記ＧＰＳ部を配置することにより、受信感度を保ちながら、空いたスペースを活用するこ
とにより、省スペース及びコストダウンを達成することができる。
【００１３】
また、本出願による第３の発明によれば、前記表示部は収納状態と使用状態に切り替え
可能で、前記ハンドル部の延出部は、表示部が収納状態において表示部を保護することが
できる。
【図面の簡単な説明】
【００１４】
【図１】本発明の実施例の一形態をを示す撮像装置の構成を示すブロック図。
【図２】本発明の実施例の一形態を示す撮像装置の撮影者使用時後方左側斜視図。
【図３】本発明の実施例の一形態を示す撮像装置の後方左側斜視図。
【図４】本発明の実施例の一形態を示す撮像装置の後方左側斜視図。
【図５】本発明の実施例の一形態を示す撮像装置の後方左側斜視透視図。
【発明を実施するための形態】
【００１５】
＜第１の実施形態＞
以下、本発明の第１の実施形態について図面を参照しながら説明する。図１は、本発明
の第１の実施形態における撮像装置の構成を示すブロック図、図２は撮像装置の撮影者使
用時後方左側斜視図、撮像装置の表示部が開いた状態で、後方（撮影者側）右側から見た
外観斜視図である。図４は撮像装置の後方左側斜視図、図５は撮像装置の後方左側斜視透
視図である。
【００１６】
撮像装置本体１００は、図１に示すように、フォーカス及びズーム等の光学制御系を含
む光学レンズ群及び絞りからなるレンズユニット部１０１、ＣＣＤなどの撮像素子を含む
メイン撮像部１０２、カメラ信号処理部１０３、圧縮伸張処理部１０４、表示部１０５、
記録再生処理部１０６、カード制御部１０７、大容量内部メモリ制御部１０８、マイクロ
フォン１０９、音声信号処理部１１０、メモリ１１１、メモリ制御部１１２、ＣＰＵ１１
３、操作部１１４、デジタルＩ／Ｆ１１５、入出力部１１６、ＧＰＳ部１２４、ＧＰＳ受
信部１２５ａ、ＧＰＳ信号処理部１２５ｂ、電源制御部１１７を備えている。また、各機
能ブロックはそれぞれデータバス１１８を介して互いにデータ通信可能に接続されている
。
【００１７】
このような撮像装置本体１００において、メモリ１１１は、プログラム記憶領域とデー
タ作業領域を有し、データバス１１８を介して各機能ブロックでタイム・シェアリングし
て使用され、メモリ制御部１１２により制御及び管理されている。ＣＰＵ１１３は所定の
プログラムを実行すること等により、撮像装置本体１００全体を統括制御する中央演算処
理回路である。
【００１８】
操作部１１４はユーザーからのキー操作などに基づいて、ＣＰＵ１１３に対して動作指
示する機能を有する。そのうち、１１４ａはレンズの画角をワイド側又はテレ側に変化さ
せるズーム操作を行うためのズームツマミである。１１４ｂは電源スイッチであり、操作
することで電源オフ、撮影モード、再生モードを切り替えることが可能である。１１４ｃ
は動画撮影ボタンであり、押圧動作することで、動画撮影のスタート／ストップを行うこ
とが可能である。デジタルＩ／Ｆ１１５は、例えばＩＥＥＥ１３９４やＵＳＢ等の規格に
従い信号を授受する。
【００１９】
メモリーカード１１９は、ＳＤカードやコンパクトフラッシュ（登録商標）等の脱着式
のフラッシュメモリーであり、撮影データ及び音声データが記録される。電源制御部１１
７は、バッテリ検出回路、ＤＣ−ＤＣコンバータ、通電するブロックを切り替えるスイッ
チ回路等により構成されており、電池の装着の有無、電池の種類、電池残量の検出を行う
。バッテリ１２３は、リチウムイオン電池等であり、撮像装置本体１００に電源を供給す
る。
【００２０】
ＧＰＳ受信部１２５ａは、ＧＰＳ衛星から位置と時間のデータを取得する。このデータ
は、ＧＰＳ信号処理部１２５ｂにて処理され、ＧＰＳ部１２４の位置やその位置における
時刻を算出する。この撮像装置では、算出した位置情報や時刻情報を画像データとともに
大容量内部メモリ１２０またはメモリーカード１１９に書き込む。再生時には、この位置
情報や時刻情報を参照することができ、データや記憶の整理に利用できる。
【００２１】
次に、本発明の第１の実施形態における撮像装置の撮影動作及び記録動作、再生動作に
ついて説明する。例えば、操作部１１４により撮影動作及び記録動作が指示された場合、
被写体からの光は、レンズ１０１により所定の明るさ、画角、及びフォーカス等が制御さ
れた光学信号となって撮像部１０２に対して入力される。撮像部１０２は入力光学信号を
電気信号に変換し、カメラ信号処理部１０３に出力する。カメラ信号処理部１０３はこの
電気信号をデジタル画像信号に変換する。そして、この画像信号に対して、色分離、階調
補正、及びホワイトバランス調整などの信号処理を施した後出力する。音声信号処理部１
１０は、マイクロフォン１０９より入力された音声信号を所定レベルにゲインコントロー
ルしてデジタル化することで、音声データとして出力する。
【００２２】
圧縮伸張処理部１０４は、カメラ信号処理部１０３から出力された画像データ及び音声
信号処理部１１０から出力された音声データを所定の圧縮符号化方式により圧縮符号化す
る。表示部１０５は、図３及び図４に示す液晶表示部１０５ａとＥＶＦ１０５ｂにより構
成され、圧縮伸張処理部１０４で圧縮符号化対象の撮影データを表示する。また、表示部
１０５は、必要に応じて撮像装置本体１００の動作状況をオンスクリーン・ディスプレイ
情報として表示する。
【００２３】
記録再生処理部１０６は、圧縮伸張処理部１０４で得られた圧縮符号化後のデータに対
して、エラー訂正符号化処理や変調処理等を施し、更に同期、ＩＤ、ＧＰＳ部１２４及び
ＧＰＳ信号処理部１２５ｂから算出した位置情報や時刻情報などのデータを付加して記録
に適した形態に変換した後、大容量内部メモリ１２０あるいはメモリーカード１１９等の
記録媒体に記録する。この際、大容量内部メモリ制御部１０８は大容量内部メモリ１２０
の記録制御を、カード制御部１０７はメモリーカード１１９の記録制御をおこなう。
【００２４】
一方、操作部１１４により再生動作が指示された場合、記録再生処理部１０６は、大容
量内部メモリ１２０またはメモリーカード１１９から読み出したデータから元のデジタル
データを検出し、エラー訂正及び復調等の処理を施す。また、ＰＬＬ回路によりこの再生
データに同期したクロックを生成する。
【００２５】
圧縮伸張処理部１０４は、記録再生処理部１０６より出力されたデータに対して、所定
の圧縮符号化方式に対応した伸張処理を施し、圧縮符号化前の撮影データ及び音声データ
を取得する。表示部１０５は、圧縮伸張処理部１０４で得られた再生データを表示する。
【００２６】
また操作部１１４によりデジタルＩ／Ｆ１１５からの入力データを記録する指示があっ
た場合、ＣＰＵ１１３はデジタルＩ／Ｆ１１５により、外部装置１２１からの画像データ
あるいは音声データをデジタル信号の状態で入力し、記録再生処理部１０６に送る。この
際、外部装置１２１からの画像データ、音声データは既に符号化されているものとし、記
録再生処理部１０６は前述のようにこの入力データに対して記録に必要な処理を施して大
容量内部メモリ１２０やメモリーカード１１９などの記録媒体に記録する。
【００２７】
また操作部１１４により、入出力部１１６からの入力信号を記録する指示があった場合
、ＣＰＵ１１３は入出力部１１６を制御し、外部装置１２２から出力された画像、音声信
号を入力する。入出力部１１６は外部装置１２２から出力された画像、音声信号をデジタ
ルデータに変換してメモリ１１１に出力する。ＣＰＵ１１３はこのメモリ１１１に記憶さ
れた画像、音声データを圧縮伸張処理部１０４に出力して圧縮符号化し、記録再生処理部
１０６に送る。記録再生処理部１０６は前述の様にこの符号化されたデータに対して記録
に必要な処理を施して大容量内部メモリ１２０やメモリーカード１１９などの記録媒体に
記録する。
【００２８】
通常撮影時、撮影者は図２のように右手でハンドル部１３０を保持しながら撮影を行う
。ＧＰＳは人体や、電波を遮蔽しやすいものに受信部を遮られると、著しく受信性能が低
下する。上記のように、ハンドル部１３０を保持しながら撮影を行った場合、本撮像装置
では図３の操作部１１４や、保持用の指置き部１３２等、領域１００１に撮影時人の手が
来る可能性がある。図４に本実施形態のハンドル部１３０の内部構造の一部を示す。図４
に示すようにＧＰＳ部１２４及びＧＰＳアンテナ部１２５ａを領域１００１の外に配置し
、内部構造物及び撮影者の手等による妨害を抑え、ＧＰＳの受信感度を保つことができる
。
【００２９】
また、ＧＰＳ部１２４は、画像表示部１０５を収納する際、画像表示部を保護する為の
パネル保護部１３１に配置され、受信感度を保ちながら、空いたスペースを活用すること
により、省スペース及びコストダウンを達成することができる。
【００３０】
以上、本発明をその好適な実施形態に基づいて詳述してきたが、本発明はこれら特定の
実施形態に限られるものではなく、この発明の要旨を逸脱しない範囲の様々な形態も本発
明に含まれる。上述の実施形態の一部を適宜組み合わせてもよい。
【符号の説明】
【００３１】
１００‥‥撮像装置本体
１０１‥‥レンズユニット部
１０２‥‥メイン撮像部
１０３‥‥カメラ信号処理部
１０４‥‥圧縮伸張処理部
１０５‥‥表示部
１０５ａ‥‥ビューファインダー部
１０６‥‥記録再生処理部
１０７‥‥カード制御部
１０８‥‥大容量内部メモリ制御部
１０９‥‥マイクロフォン
１０９ａ‥‥外部マイクロフォン取付部
１１０‥‥音声信号処理部
１１１‥‥メモリ
１１２‥‥メモリ制御部
１１３‥‥ＣＰＵ
１１４‥‥操作部
１１４ａ‥‥ズームツマミ
１１４ｂ‥‥電源スイッチ
１１４ｃ‥‥動画撮影ボタン
１１５‥‥デジタルＩ／Ｆ
１１６‥‥入出力部
１１７‥‥電源制御部
１１８‥‥ＢＵＳ部
１１９‥‥メモリーカード
１２０‥‥大容量内部メモリ
１２３‥‥バッテリ
１２４‥‥ＧＰＳ部
１２５ａ‥‥ＧＰＳ受信部
１２５ｂ‥‥ＧＰＳ信号処理部
１３０‥‥ハンドル部
１３１‥‥パネル保護部
１３２‥‥指置き部
１００１‥‥撮影者指掛かり範囲
【図１】
2012089981.tif 000003
【図２】
2012089981.tif 000004
【図３】
2012089981.tif 000005
【図４】
2012089981.tif 000006
【図５】
2012089981.tif 000007